(57)【特許請求の範囲】
【請求項１】
被験者が膝を上げて脚踏みする動作と静止状態を正面から撮影するカメラ手段と、
前記カメラ手段と距離センサを用いて、動作中で膝が所定位置に達した動作状態および前記静止状態の被験者の肩中央部とおしり中心部の２つの部位の３次元位置座標を計測する手段と、
前記３次元位置座標から前記２つの部位の前記静止状態から前記動作状態の変位情報を取得する手段と、
前記変位情報から被験者の身体の歪み度合いを解析する手段、
を備え、
前記変位情報は、右膝を上げた際の第１の変位情報と、左膝を上げた際の第２の変位情報とから成り、第１および第２の変位情報は、それぞれ前記カメラ手段の軸方向、その軸方向に直交する水平方向および垂直方向の３方向成分を有し、前記カメラ手段の軸方向の方向成分による前傾度合いまたは後傾度合いと、前記水平方向の方向成分による左傾度合いまたは右傾度合いと、前記垂直方向の方向成分による屈み度合いとから、片膝を上げた際に、肩中央部とおしり中心部につきそれぞれ８パターンに分類され、肩中央部とおしり中心部の位置座標の分類を掛け合わせ６４パターンに分類され、両膝の脚踏み動作で１２８パターンに分類され、各パターンにコメント又は運動処方が設定されている、
ことを特徴とする身体歪みチェッカー。
【請求項２】
上記の膝が所定位置に達した動作状態が、膝の高さがピークに達した動作状態であることを特徴とする請求項１に記載の身体歪みチェッカー。
【請求項３】
解析した前記歪み度合いから、筋肉の硬い部位を特定し、筋肉の硬い部位に関するデータに基づいて、痛める可能性のある部位を予測する手段を更に備えたことを特徴とする請求項１又は２に記載の身体歪みチェッカー。
【請求項４】
解析した前記歪み度合いから、筋肉の硬い部位を特定し、筋肉の硬い部位に関するデータに基づいて、被験者の未来体型を予測する手段を更に備えたことを特徴とする請求項１〜３の何れかに記載の身体歪みチェッカー。
【請求項５】
解析した前記歪み度合いから、歪み改善を目的とする運動プログラムを生成する手段を更に備えたことを特徴とする請求項１〜４の何れかに記載の身体歪みチェッカー。
【請求項６】
解析した前記歪み度合いはデータとして保存され、
過去に解析した歪み度合いデータと比較することにより、歪みの改善効果を計測し、
前記運動プログラムを再生成する手段を更に備えたことを特徴とする請求項５に記載の身体歪みチェッカー。
【請求項７】
被験者が膝を上げて脚踏みする動作と静止状態をカメラ手段で正面から撮影し、
前記カメラ手段と距離センサを用いて、動作中で膝が所定位置に達した動作状態および前記静止状態の被験者の肩中央部とおしり中心部の２つの部位の３次元位置座標を計測し、
前記３次元位置座標から前記２つの部位の前記静止状態から前記動作状態の変位情報を取得し、
前記変位情報は、右膝を上げた際の第１の変位情報と、左膝を上げた際の第２の変位情報とから成り、第１および第２の変位情報は、それぞれ前記カメラ手段の軸方向、その軸方向に直交する水平方向および垂直方向の３方向成分を有し、前記カメラ手段の軸方向の方向成分による前傾度合いまたは後傾度合いと、前記水平方向の方向成分による左傾度合いまたは右傾度合いと、前記垂直方向の方向成分による屈み度合いとから、片膝を上げた際に、肩中央部とおしり中心部につきそれぞれ８パターンに分類され、肩中央部とおしり中心部の位置座標の分類を掛け合わせ６４パターンに分類され、両膝の脚踏み動作で１２８パターンに分類され、各パターンにコメント又は運動処方が設定されており、
前記変位情報から被験者の身体の歪み度合いを解析する、
ことを特徴とする身体歪みチェック方法。
【請求項８】
上記の膝が所定位置に達した動作状態が、膝の高さがピークに達した動作状態であることを特徴とする請求項７に記載の身体歪みチェック方法。
【請求項９】
コンピュータを、下記１）〜３）の手段として機能させる身体歪みチェックプログラム：
１）カメラ手段と距離センサを用いて、被験者が膝を上げて脚踏みする動作において膝が所定位置に達した動作状態および静止状態の被験者の肩中央部とおしり中心部の２つの部位の３次元位置座標を計測する手段と、
２）前記３次元位置座標から前記２つの部位の前記静止状態から前記動作状態の変位情報を取得する手段と、
３）前記変位情報から被験者の身体の歪み度合いを解析する手段、
前記変位情報は、右膝を上げた際の第１の変位情報と、左膝を上げた際の第２の変位情報とから成り、第１および第２の変位情報は、それぞれ前記カメラ手段の軸方向、その軸方向に直交する水平方向および垂直方向の３方向成分を有し、前記カメラ手段の軸方向の方向成分による前傾度合いまたは後傾度合いと、前記水平方向の方向成分による左傾度合いまたは右傾度合いと、前記垂直方向の方向成分による屈み度合いとから、片膝を上げた際に、肩中央部とおしり中心部につきそれぞれ８パターンに分類され、肩中央部とおしり中心部の位置座標の分類を掛け合わせ６４パターンに分類され、両膝の脚踏み動作で１２８パターンに分類され、各パターンにコメント又は運動処方が設定されている。
【請求項１０】
上記の膝が所定位置に達した動作状態が、膝の高さがピークに達した動作状態であることを特徴とする請求項９に記載の身体歪みチェックプログラム。
【発明の詳細な説明】
【技術分野】
【０００１】
本発明は、簡易な方法で身体の歪みを測定し、未来体型の予測及び適切な運動プログラムの作成を自動的に行う技術に関するものである。
【背景技術】
【０００２】
従来から、身体の歪みが様々な身体の不調を引き起こすことが知られている。そのため、身体の歪みを矯正し、正しい姿勢を保つことは、健康維持及び増進のためには非常に重要である。また、健康だけではなく美容目的でも、美しい姿勢を保つことに対するニーズは強く存在する。そして、正しい姿勢を維持するためには、身体の歪みを正確に把握することが必要である。
しかしながら、身体の歪みを目視等で正確に把握することは難しく、整体治療を行う専門家によって歪み度合いを判断する場合でも、その判断はまちまちである。
【０００３】
一方で、身体の姿勢を的確に分析し，診断するための身体の姿勢診断支援システムが知られている（特許文献１を参照）。特許文献１に開示された身体の姿勢診断支援システムは、端末に接続されたカメラを用いて被験者の姿勢を撮影し、通信ネットワークを介して姿勢診断サーバに備えられたデータベースにより、姿勢診断を行うものである。これによれば、姿勢診断サーバが身体の歪み状態を判断することから判断がまちまちになるという事態を防止することができる。
しかしながら、特許文献１に開示された身体の姿勢診断支援システムでは、どのような身体の歪みがあるのか、さらには、歪みを矯正するためにはどのような運動をすれば良いかといったアドバイスは、オペレータが行わなければならず、専門家の手を借りずに、一般人が簡易に身体の歪みを測定するということはできなかった。
【０００４】
そこで、生体の歪みを正確、簡便、且つ客観的に評価することができる生体の歪み検出装置、検出方法および検出プログラムが知られている（特許文献２を参照）。特許文献２に開示された歪み検出装置は、例えば、人が両腕を用いた所定動作を終えた状態において、測定によって得られるデータから、人の左右の腕の姿勢を決定し、左右の腕の姿勢の差違に応じて、上半身の筋肉の強い部位を判定するものである。これによると、専門家の手を借りずに、自身の身体の歪みを３次元的に測定し、多数のパターンに分類されたデータベースと自身の身体の歪みの状態を照合することができ、自身の筋肉の強い部位を把握することが可能である。
【先行技術文献】
【特許文献】
【０００５】
【特許文献１】特開２００５−３０１号公報
【特許文献２】特開２０１０−２０７３９９号公報
【発明の概要】
【発明が解決しようとする課題】
【０００６】
しかしながら、身体の歪みを測定するためには、頭部から足部に至る身体の中心軸の歪みを計測することが重要であるところ、上記特許文献２の歪み検出装置では、被験者の左右の上腕にセンサを取り付けて測定するため、身体の中心軸の身体の歪みが必ずしも正確には測定できないという問題があった。
しかも、測定の度に、被験者にセンサを取り付けて測定を行わなければならないため、煩雑であるという問題もあった。
【０００７】
また、上記特許文献２の歪み検出装置では、解析された身体の歪みを改善するための運動処方や、現状を放置した場合に将来どのような体型になるかといった予測に関しては、自動的に生成及び提供されるものではなかった。
【０００８】
かかる状況に鑑みて、本発明は、身体の歪みを簡便かつ正確に測定し、未来体型の予測及び運動処方を行うことのできる装置、方法およびプログラムを提供することを目的とする。
【課題を解決するための手段】
【０００９】
上記課題を解決すべく、本発明の身体歪みチェッカーは、被験者が身体の特定部位を動かす動作と静止状態を正面から撮影するカメラ手段と、カメラ手段と距離センサを用いて、動作中で特定部位が所定位置に達した動作状態および静止状態の被験者の身体の中心軸上の少なくとも２つの部位の３次元位置座標を計測する手段と、３次元位置座標から２つの部位の静止状態から動作状態の変位情報を取得する手段と、変位情報から被験者の身体の歪み度合いを解析する手段を備える。
３次元位置座標の計測は、身体の特定部位を動かす動作中で特定部位が所定位置に達した時に行うため、カメラ手段としては、画像を撮影できるものであればよいが、動画を撮影するものであってもよい。身体の特定部位とは、足、腕、膝、肘、頭、手首、足首などの部位である。１つでも複数でも構わない。所定位置とは、高さが最も高い（ピーク）位置、或は、最も低い位置、動作において動作方向が逆転する位置などである。
カメラ手段としては、ＫＩＮＥＣＴ（登録商標）が予め距離センサを備えたものとして好適に用いられる。
ここで、具体的には、身体の特定部位を動かす動作は、膝を上げて脚踏みする動作であり、特定部位が所定位置に達した動作状態は、膝の高さがピークに達した動作状態である。膝を上げて脚踏みする動作は、左右の脚について交互に行うため、３次元位置座標の計測は、左右の膝の高さがそれぞれピークに達した時に行う。膝を上げて脚踏みする動作以外は、例えば、足を前後あるいは左右に踏み出す動作、肘を曲げて腕を前後に動かす動作、ジャンプする動作、足を屈伸する動作などが挙げられる。
【００１０】
本発明の身体歪みチェッカーにおける変位情報は、身体の右側の特定部位を動かした際、例えば右膝を上げた際の第１の変位情報と、身体の左側の特定部位を動かした際、例えば左膝を上げた際の第２の変位情報とから成り、第１および第２の変位情報は、それぞれ、カメラ手段の軸方向、その軸方向に直交する水平方向および垂直方向の３方向成分を有し、カメラ手段の軸方向の方向成分は前傾度合いまたは後傾度合いを表し、水平方向の方向成分は左傾度合いまたは右傾度合いを表し、垂直方向の方向成分は屈み度合いを表すことが好ましい。
身体の歪みは、前後だけ或は左右だけというように一方向にのみ起こるものではなく、３次元的に生じるものであるから、２つの部位の３次元的な位置関係を測定することで正確な歪みの測定を可能とするものである。
【００１１】
本発明の身体歪みチェッカーにおいて３次元位置座標を取得する２つの部位は、肩中央部とおしり中心部であることが好ましい。
これは、身体の歪みを計測するために最も重要な部位が、身体の中心軸であり、中心軸の位置関係を計測するために最も適した部位が、肩中央部とおしり中心部であるからである。
【００１２】
本発明の身体歪みチェッカーは、解析した歪み度合いから、痛める可能性のある部位を予測する手段を更に備えたことが好ましい。
具体的には、解析した歪み度合いから、筋肉の硬い部位を特定し、筋肉の硬い部位に関するデータに基づいて今後痛める可能性のある部位の予測を行う。
【００１３】
本発明の身体歪みチェッカーは、解析した歪み度合いから、被験者の未来体型を予測する手段を更に備えたことが好ましい。
筋肉の硬い部位には、脂肪がつきやすいと考えられているため、特定した筋肉の硬い部位に関するデータに基づいて被験者の未来体型の予測を行う。
【００１４】
本発明の身体歪みチェッカーは、解析した歪み度合いから、歪み改善を目的とする運動プログラムを自動で生成する手段を更に備えたことが好ましい。
解析した歪み度合いを幾つかのパターンに分類し、歪みのパターンに応じて、歪みを改善するための最適な運動プログラムをデータベースとして予め設定しておく。これにより、歪み改善を目的とする運動プログラムを運動処方として自動で生成し、被験者に提示することができる。
【００１５】
本発明の身体歪みチェッカーにおいて、解析した歪み度合いはデータとして保存され、過去に解析した歪み度合いデータと比較することにより、歪みの改善効果を計測し、運動プログラムを再生成する手段を更に備えたことが好ましい。
現在の身体の歪み度合いが、多数のパターンの内のどのパターンに該当するかを判定するだけでなく、被験者の過去の計測データとの照合を行うことで、前回の計測後の運動による改善状況等を判定することができ、きめ細やかな運動処方を行うことができる。
【００１６】
本発明の身体歪みチェック方法は、被験者が身体の特定部位を動かす動作と静止状態をカメラ手段で正面から撮影し、カメラ手段と距離センサを用いて、動作中で特定部位が所定位置に達した動作状態および静止状態の被験者の身体の中心軸上の少なくとも２つの部位の３次元位置座標を取得し、取得した３次元位置座標から２つの部位の静止状態から動作状態の変位情報を計測し、変位情報から被験者の身体の歪み度合いを解析する。
具体的には、身体の特定部位を動かす動作は、膝を上げて脚踏みする動作であり、特定部位が所定位置に達した動作状態は、膝の高さがピークに達した動作状態である。
【００１７】
本発明の身体歪みチェック方法において３次元位置座標を取得する２つの部位は、肩中央部とおしり中心部である。身体の歪みを計測するために最も重要な部位が、身体の中心軸であり、中心軸の位置関係を計測するために最も適した部位が、肩中央部とおしり中心部である。
【００１８】
本発明の身体歪みチェックプログラムは、コンピュータを、カメラ手段と距離センサを用いて、被験者が身体の特定部位を動かす動作において特定部位が所定位置に達した動作状態および静止状態の被験者の身体の中心軸上の少なくとも２つの部位の３次元位置座標を取得する手段と、取得した３次元位置座標から２つの部位の静止状態から動作状態の変位情報を計測する手段と、変位情報から被験者の身体の歪み度合いを解析する手段として機能させるものである。
具体的には、身体の特定部位を動かす動作は、膝を上げて脚踏みする動作であり、特定部位が所定位置に達した動作状態は、膝の高さがピークに達した動作状態である。
【発明の効果】
【００１９】
本発明の身体歪みチェッカー、身体歪みチェック方法およびプログラムによれば、身体の歪みを簡便かつ正確に測定し、未来体型の予測及び運動処方を行うことができるといった効果がある。
【図面の簡単な説明】
【００２０】
【図１】実施例１の身体歪みチェッカーのシステム構成図
【図２】実施例１の身体歪みチェッカーのフロー図
【図３】３次元位置座標取得に関する説明図
【図４】実施例１の身体歪みチェッカーの３次元位置座標取得イメージ図
【図５】実施例１のクライアント端末におけるモード選択画面イメージ図
【図６】実施例１のクライアント端末における登録情報画面イメージ図
【図７】実施例１のクライアント端末における測定画面イメージ図
【図８】実施例１のクライアント端末における結果表示画面イメージ図
【図９】実施例１のクライアント端末における詳細結果表示画面イメージ図
【図１０】実施例１のクライアント端末における運動処方画面イメージ図
【図１１】実施例１の身体歪みチェッカーの機能ブロック図
【図１２】実施例２の身体歪みチェッカーの機能ブロック図
【発明を実施するための最良の形態】
【００２１】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００２２】
本実施例では、膝を上げて脚踏みする動作により計測を行う例について説明する。膝を上げて脚踏みする動作の計測及び解析は、約１分間で完了する。
【００２３】
図１は、実施例１の身体歪みチェッカーのシステム構成図である。図１に示すように、身体歪みチェッカー１は、クライアント端末２、計測用カメラ３、サーバ４から成り、クライアント端末２と計測用カメラ３はケーブル５によって接続され、クライアント端末２とサーバ４はインターネット６によって接続されている。計測用カメラ３は被験者であるユーザ７の身体を撮影するためのものである。計測用カメラ３によって撮影され、取得された情報は、ケーブル５によってクライアント端末２へと送られ、さらに、インターネット６によって、サーバ４へと送られる構造である。サーバ４によって解析された結果は、インターネット６によって、クライアント端末２へと送られ、クライアント端末２の画面上に表示される。
【００２４】
図２は、実施例１の身体歪みチェッカーのフロー図である。まず、計測用カメラ３を用いて被験者であるユーザ７の身体を撮影する（Ｓ０１）。計測用カメラ３に備えられた距離センサの作動により３次元位置座標を取得する（Ｓ０２）。取得されたデータは、サーバ４へと送信される（Ｓ０３）。サーバ４においてデータが受信され（Ｓ０４）、歪み度合いの解析が行われる（Ｓ０５）。解析された歪み度合いや筋肉の硬い部位の計測結果を基に、今後痛める可能性のある部位の予測（Ｓ０６）や、未来体型の予測を行う（Ｓ０７）。さらに、身体の歪みを改善するための運動プログラムを自動生成する（Ｓ０８）。解析結果及び生成された運動プログラムは、サーバからクライアント端末へと送信される（Ｓ０９）。クライアント端末２は解析結果及び運動プログラムを受信し（Ｓ１０）、解析結果及び運動プログラムを端末画面上に表示する（Ｓ１１）。
【００２５】
図３は、３次元位置座標取得に関する説明図を示している。図３に示すように、計測用カメラ３は、ユーザ７を正面から撮影し、距離センサを用いて３次元位置座標を取得する。具体的には、計測用カメラ３の軸方向、その軸方向に直交する水平方向および垂直方向の３方向成分を有する情報として取得する。図３に示すように、ｚ軸は計測用カメラ３の軸方向を示している。また、ｘ軸はｚ軸に直交する水平方向を示し、ｙ軸はｚ軸に直交する垂直方向を示している。
【００２６】
図４は、実施例１の身体歪みチェッカーの３次元位置座標取得のイメージ図を示している。図４に示すように、身体の歪み計測時には、被験者の身体の各部位が距離センサによって読み取られ、クライアント端末２の画面上に表示される。本実施例で用いた計測用カメラ３では、頭部、肩中央部、右肩部、左肩部、右肘部、左肘部、右手のひら、左手のひら、おしり中心部、右膝部、左膝部、右足部及び左足部につき３次元位置座標を取得している。解析のためには、これらの部位の内、肩中央部、おしり中心部、右膝部及び左膝部につき３次元位置座標の取得が行えればよい。
【００２７】
計測用カメラは、ＫＩＮＥＣＴ（登録商標）を用いる。このカメラでは、頭部、肩中央部、左肩部、右肩部、鳩尾部、左肘部、右肘部、左手首部、右手首部、左手のひら、右手のひら、おしり中心部、左臀部、右臀部、左膝部、右膝部、左足首部、右足首部、左足部、右足部の２０点の人体の部位の３次元位置座標を計測できる。本実施例では、これらの内、肩中央部、おしり中心部、右膝部及び左膝部の３次元位置座標についてのみ計測を行っている。
また、取得は動画映像で行うが、計測に必要なタイミングでの画像が取得できていれば、解析のためのデータとしては十分であるので、かかる場合は必要なタイミングで画像を取得してもよい。
【００２８】
計測に必要なタイミングについては、１つは、静止状態である。もう１つは、膝上げ運動により計測を行う場合、膝を上げて脚踏みする動作の内、最も高く膝が上がったタイミングである。膝上げは約４０秒間継続して行い、部位（８ｃ，８ｄ）がそれぞれ最も高く上がったタイミングにおける部位（８ａ，８ｂ）の３次元位置座標をその都度計測する。
したがって、片膝を上げた際、肩中央部及びおしり中心部につきそれぞれ８パターンに分類され、肩中央部とおしり中心部の位置座標の分類を掛け合わせると６４パターンとなる。さらに、上記運動は両ひざにつき行うので、合計１２８パターンに分類される。この１２８パターン全てにつき、各別にコメントや適切な運動処方が設定されている。
【００２９】
次に、クライアント端末上の画面表示に沿って説明する。図５は、実施例１のクライアント端末におけるモード選択画面イメージ図を示している。図５に示すように、画面上には、「開始」「履歴」「設定」のボタンが表示され、必要な項目を選択する。初回起動時に「開始」を選択した場合及び設定を選択した場合は、設定画面へと遷移する。以前に測定を行ったことがある場合、「開始」を選択すると測定画面へと遷移する。また、「履歴」を選択すると過去の測定履歴を閲覧することができる。
【００３０】
図６は、実施例１のクライアント端末における設定画面イメージ図を示している。図６に示すように、設定画面では、氏名、性別、生年月日、身長、体重及びパスワードの登録或は削除を行うことができる。ここで登録した情報は、サーバに送信、保存され、次回の測定時に前回の測定結果との比較を行うために利用される。
【００３１】
図７は、実施例１のクライアント端末における測定画面イメージ図を示している。図７に示すように、画面左には人形が表示されており、実際の画面ではアニメーションになっている。ユーザ７は、このアニメーションに合わせて、身体を動かして測定を行う。このとき、画面右下には、計測用カメラ３により読み取られクライアント端末２へと送られたユーザ７の３次元位置座標データが表示される。
【００３２】
図８は、実施例１のクライアント端末における結果表示画面イメージ図を示している。図８に示すように、画面上部には、左に解析されたユーザ７の現在の身体の歪み状態が人形の形で表示されており、右には現在の状態がこのまま継続した場合の予測される未来体型が表示されている。それぞれ、左が正面、右が背面を示している。本実施例では表示しないが、ユーザ７の理想体型を解析し画像で表示してもよい。
画面下部には、左に現在体型及び未来体型についてのコメントがなされており、画像と合わせて被験者の状態を把握することができる。また、右には得点が表示される。この得点は、身体の歪み度合いが少なければ少ないほど、高い得点が表示される。本実施例では表示しないが、この得点の基となる身体の中心軸のブレを画像で表示してもよい。
【００３３】
図９は、実施例１のクライアント端末における詳細結果表示画面イメージ図を示している。図９に示すように、筋肉の硬い部位１０が強調して表示されている。筋肉の硬い部位１０は、現在の身体の歪みの原因となっているばかりではなく、今後、痛める可能性の高い部位ともいえる。また、筋肉の硬い部位には、脂肪がつきやすいため、これを基にユーザの未来体型を予測することができる。さらに、筋肉の硬い部位をかばうことにより、その他の部位に負担がかかってしまう恐れもある。
このような筋肉の硬い部位に関するデータを基に、各部位につきコメントが表示される。具体的には、コメント９ａは大胸筋、コメント９ｂは腰部、コメント９ｃは僧帽筋、コメント９ｄは広背筋、コメント９ｅは中臀筋についてのものである。本実施例とは異なり、各部位毎に得点を表示するものであってもよい。
【００３４】
図１０は、実施例１のクライアント端末における運動処方画面イメージ図を示している。図１０に示すように、端末画面上には、解析結果を基に自動生成された運動プログラムが表示される。運動プログラムは、画像及び説明文で提案される。例えば、筋肉の硬い部位を柔軟にするエクササイズを行うことによって、身体の歪みを改善することができる。
本実施例では、２つのエクササイズを提案しているが、１つ或は３つ以上であってもよい。
【００３５】
図１１は、実施例１の身体歪みチェッカーの機能ブロック図を示している。図１１に示すように、計測用カメラ３は、カメラ３１と距離センサ３２から成り、クライアント端末２へ３次元位置座標データを送信する。クライアント端末２は、変位情報取得手段２１、表示手段２３及びデータ送受信手段２４を備え、サーバ４は、歪み度合い解析手段４２及びデータ送受信手段４４を備える。
計測用カメラ３から送信された３次元位置座標データは、クライアント端末２内の変位情報取得手段２１へと送られる。変位情報データは、クライアント端末２からデータ送受信手段（２４，４４）を介してサーバ４へと送られる。サーバ４へと送られた変位情報データは、歪み度合い解析手段４２により解析がなされ、解析結果データは、データ送受信手段（２４，４４）を介してクライアント端末２へと送られる。クライアント端末２に送られた解析結果データは、クライアント端末２内の表示手段２３へと送られ、画面表示がなされる。
【実施例２】
【００３６】
図１２は、実施例２の身体歪みチェッカーの機能ブロック図を示している。図１２に示すように、実施例２の身体歪みチェッカーは、実施例１で説明した身体歪みチェッカーとは異なり、インターネット６を介さず、計測用カメラ３とコンピュータ２００のみで構成されている。
図１２の機能ブロック図に示すように、計測用カメラ３は、カメラ３１と距離センサ３２から成り、コンピュータ２００へ３次元位置座標データを送信する。コンピュータ２００は、変位情報取得手段２１、歪み度合い解析手段２２及び表示手段２３を備え、計測用カメラ３から送信された３次元位置座標データは、コンピュータ２００内の変位情報取得手段２１へと送られる。変位情報取得手段２１から歪み度合い解析手段２２へは変位情報データが送られ、歪み度合い解析手段２２から表示手段２３へは、解析結果データが送られる。
【００３７】
（その他の実施例）
（１）実施例１では膝を上げて脚踏みする動作により計測を行ったが、その他の動作、例えば、腕振り運動を行い、計測を行ってもよい。
（２）実施例１では肩中央部とおしり中心部を捉えて計測を行ったが、肩中央部とおしり中心部だけではなく、頭部などを含め、３次元位置座標を取得するものであってもよい。
【産業上の利用可能性】
【００３８】
本発明は、簡易な設備で、かつ短時間で測定を行うことが可能であるので、国民の健康寿命の延伸や美容目的、或は、医療費削減を実現するシステムとして有用である。
【符号の説明】
【００３９】
１  身体歪みチェッカー
２  クライアント端末
３  計測用カメラ
４  サーバ
５  ケーブル
６  インターネット
７  ユーザ
８ａ〜８ｄ，１０  部位
９ａ〜９ｅ  コメント
２１  変位情報取得手段
２２，４２  歪み度合い解析手段
２３  表示手段
２４，４４  データ送受信手段
３１  カメラ
３２  距離センサ
２００  コンピュータ
【図１】
0006439106.tif 000002
【図２】
0006439106.tif 000003
【図３】
0006439106.tif 000004
【図４】
0006439106.tif 000005
【図５】
0006439106.tif 000006
【図６】
0006439106.tif 000007
【図７】
0006439106.tif 000008
【図８】
0006439106.tif 000009
【図９】
0006439106.tif 000010
【図１０】
0006439106.tif 000011
【図１１】
0006439106.tif 000012
【図１２】
0006439106.tif 000013